(57)【特許請求の範囲】
【請求項１】
再生装置から入力された複数の番組信号を含むストリーム信号の中から、前記信号構成の不連続を意味する不連続情報を検出する不連続情報検出手段と、
前記不連続情報検出手段が前記不連続情報を検出したとき、前記ストリーム信号の前記複数の番組信号の中から、前記不連続情報が検出される直前に前記復号化していた番組と同じ論理チャンネルの番組の番組信号を自動的に選択し出力する自動選択手段と、
前記自動選択手段が選択した前記所定の番組信号を復号化する復号化手段と、
を有することを特徴とするデコーダ装置。
【請求項２】
再生装置から入力された複数の番組信号を含むストリーム信号の中から、前記信号構成の不連続を意味する不連続情報を検出する不連続情報検出手段と、
前記自動選択手段は、前記不連続情報検出手段が前記不連続情報を検出したとき、前記ストリーム信号の前記複数の番組信号の中から、前記不連続情報が検出される直前に前記復号化していた番組もしくは論理チャンネルが指定する番組の番組信号を自動的に選択し出力する自動選択手段と、
前記自動選択手段が選択した前記所定の番組信号を復号化する復号化手段と、
を有することを特徴とするデコーダ装置。
【請求項３】
再生装置から入力された複数の番組信号を含むストリーム信号の中から、前記信号構成の不連続を意味する不連続情報を検出する不連続情報検出手段と、
前記不連続情報検出手段が前記不連続情報を検出したとき、前記ストリーム信号の前記複数の番組信号の中から、前記不連続情報が検出された直後に取得された番組関連情報（Program Association Table）に最初に記載される論理チャンネルの番組信号を自動的に選択し出力する自動選択手段と、
前記自動選択手段が選択した前記所定の番組信号を復号化する復号化手段と、
を有することを特徴とするデコーダ装置。
【請求項４】
前記複数の番組信号の選択方法に関する設定を予め行う選択方法設定手段を更に有することを特徴とする請求項１乃至３記載のデコーダ装置。
【請求項５】
再生装置から入力された複数の番組信号を含むストリーム信号の中から、前記信号構成の不連続を意味する不連続情報を検出する不連続情報検出手段と、
前記ストリーム信号の前記複数の番組信号の内少なくとも一つを復号化して出力する復号化手段と、
前記不連続情報検出手段が前記不連続情報を検出したとき、前記復号化手段の復号化と出力とを中断する制御手段と、
を有することを特徴とするデコーダ装置。
【請求項６】
前記不連続情報が検出された後に所定のタイミングで前記ストリーム信号に含まれる論理チャンネル又は番組情報を表示する番組情報表示手段を更に有することを特徴とする請求項１に記載のデコーダ装置。
【請求項７】
前記不連続情報が検出された後に、番組関連情報（Program Association Table）を取得したタイミングで、前記ストリーム信号に含まれるサービス又は番組情報を表示する番組情報表示手段を更に有することを特徴とする請求項１に記載のデコーダ装置。
【請求項８】
前記所定のタイミングは、ユーザの要求があったタイミングであることを特徴とする請求項６に記載のデコーダ装置。
【発明の詳細な説明】
【０００１】
【発明の属する技術分野】
この発明は、デジタル放送のデコーダ装置に関するものであり、更にこれを含むチューナ及び記録再生装置に関するものである。
【０００２】
【従来の技術】
最近、デジタル放送が広く実用化されてきているが、このデジタル放送では、映像、音声、データといった様々なサービス形態をもつ信号を符号化し、パケット化して多重伝送することで、多チャンネル化を実現することができる。
【０００３】
このようなデジタル信号である映像、音声の符号化方式およびこれらの多重化方式に関しては、国際標準化規格であるＭＰＥＧ２がある。そして実際に、これらのＭＰＥＧ規格をデジタル放送システムに応用した例としては、ヨーロッパで策定されたＤＶＢ（Digital Video Broadcasting）規格が挙げられる。ＤＶＢ規格は現在、衛星／ケーブル／地上の各デジタル放送方式の事実上の業界標準として世界各国で広く採用されている。とりわけ、多重化方式に関しては、ＭＰＥＧ２Ｓｙｓｔｅｍｓの多重信号形式であるＴＳ（Transport Stream）を適用、拡張している。ＭＰＥＧ２ＳｙｓｔｅｍｓのＴＳの規格では、多重された複数の番組の構成などを記述したＰＳＩ（Program Specific Information）と呼ばれる多重分離情報の伝送フォーマットを規定し、映像、音声等ともに固定長パケットで多重伝送する。ＰＳＩには、多重されている全番組に対して各番組の詳細情報の伝送識別子を記述するＰＡＴ（Program Association Table）や各番組の構成やその伝送識別子などの詳細情報を記述するＰＭＴ（Program Map Table）などがある。
【０００４】
ＤＶＢではこのＰＳＩに加えて、ＭＰＥＧ２ＳｙｓｔｅｍｓのＴＳ規格に準拠する形でＳＩ（Service Information）と呼ばれる放送サービス全般の関連情報の伝送フォーマットを新たに規定し、多重伝送する。たとえば、サービスの詳細情報を記述するＳＤＴ（Service Definition Table）や番組の詳細情報を記述するＥＩＴ（Event Information Table）などが挙げられる。
【０００５】
受信側ではこれらの情報を取得し利用することでさまざまな機能をユーザに提供することを可能にしている。
【０００６】
なお、このようなデジタル放送信号を受信・復号化処理する受信機は特にセットトップ・ボックスあるいはＩＲＤ（Integrated Receiver Decoder）と呼ばれている。
【０００７】
ところで、デジタル放送信号をデジタル記録する場合、ＤＶＣＲやＨＤＤ、ＤＶＤなどの蓄積メディアをこのＩＲＤに接続して利用することが考えられる。ＤＶＢでは、ＩＥＥＥ１３９４等のデジタルインターフェースを介してこれらの蓄積メディアに多重番組の一部を選択（複数可）して記録（このストリームをパーシャルＴＳと呼ぶ）する際にはＳＭＩ（Storage Media Interoperability Table）と呼ぶ蓄積関連情報をＩＲＤで作成し、上記のＳＩの代わりに挿入することを規定している。ＳＭＩには、記録選択した番組の情報を記述したＳＩＴ（Selection Information Table）と、ＳＩの不連続情報を記述するＤＩＴ（Discontinuity Information Table）との２種類が存在するが、特にＤＩＴは記録番組の選択変更や記録一時停止などの記録信号の不連続発生時点で挿入する。
【０００８】
従って、このようにして記録された番組を再生する場合、不連続発生時点の前後では記録番組そのものや記録番組内のコンポーネント構成が変化している可能性が高い。このため、このままでは不連続発生点の後には、ユーザが能動的に記録再生番組やコンポーネントを指定し直す必要があり、これを行わないと、例えば図６のケースでは、番組Ａの後に番組Ｘを再生すべきか、番組Ｙを再生すべきか、特定できないこととなる。従って、ユーザは、このような不連続情報を含んだデジタル画像信号を再生して愉しむ際、コンポーネントが変更されるたびに、例えば画面上から視聴したい番組を特定するという作業が課せられることになり、連続視聴（いわゆる、ながら視聴）ができないこととなる。
【０００９】
【発明が解決しようとする課題】
つまり上記したデコーダ装置の場合、デジタル放送信号の中からいくつかの番組を選択してＨＤＤなどに記録したストリームなどを入力して再生すると、不連続点発生後にはユーザが能動的に再生番組を指定し直さないと連続視聴ができないという問題がある。
【００１０】
そこで本発明は、上記の問題に鑑み、不連続情報を検知すると妥当性の高い番組を自動選択することで連続視聴を可能にすることのできるデコーダ装置を提供することを目的とする。
【００１１】
【課題を解決するための手段】
本発明は、再生装置から入力された複数の番組信号を含むストリーム信号の中から、前記信号構成の不連続を意味する不連続情報を検出する不連続情報検出手段と、前記不連続情報検出手段が前記不連続情報を検出したとき、前記ストリーム信号の前記複数の番組信号の中から、前記不連続情報が検出される直前に前記復号化していた番組と同じ論理チャンネルの番組の番組信号を自動的に選択し出力する自動選択手段と、前記自動選択手段が選択した前記所定の番組信号を復号化する復号化手段を有することを特徴とするデコーダ装置である。
【００１２】
これにより本発明のデコーダ装置は、例えばＤＶＤ−ＲＡＭ，ＨＤＤ等のストリーム再生装置から入力されたストリーム信号に不連続情報を検出すると、放送信号に番組コンポーネントの構成の変化の可能性を迅速に把握するものであり、その後、設定に従って、最も妥当であると思われる放送の信号を自動選択するものである。これによりユーザがコンポーネント変化のたびに、必要と思われる番組を指定し直すという必要が無くなり、連続した視聴を可能とすることができる。
【００１３】
又更に本発明は、前記不連続情報が検出された後に所定のタイミングで前記ストリーム信号に含まれるサービス又は番組情報を表示する番組情報表示手段を更に有することを特徴とするデコーダ装置である。
【００１４】
本発明は上記したように更に番組情報表示手段を設けることで、自動選択のみならず設定に応じて、不連続情報に対する連続視聴のその処理動作にユーザの意思を反映させることができる。さらに、番組情報表示手段は、自動選択され再生される番組の情報やその他の番組の情報をユーザに提供するので、ユーザは必要とする番組情報を迅速かつ手間なく得ることができ、自動選択された番組がユーザの要求と異なる場合の再選択処理にも迅速に対応することができる。
【００１５】
【発明の実施の形態】
以下、本発明のそれぞれの実施の形態について図面を用いて詳細に説明する。
【００１６】
（第１実施形態）
第１実施形態では、不連続発生の前後で連続自動再生を行う場合について説明する。
【００１７】
まず図１に、デジタル放送デコーダ装置の基本構成の一例を示す。
【００１８】
図１において、デジタルデコーダ装置は、再生番組選択器２６と、マイクロコントローラ２２と、トランスポート処理器１５と、これに接続される不連続情報検出器２７と、再生番組自動選択器２８と、番組関連情報再生器１９と、トランスポート処理器１５に接続されるＭＰＥＧ映像復号器１７と、ＭＰＥＧ／ＡＣ３音声復号器１８と、ＯＳＤ処理器２０と、加算器２１とを有している。
【００１９】
さてこのような構成のデコーダ装置は、ストリーム記録再生装置２３がデジタルインターフェース２４を介して接続しており、記録されたデジタル放送信号の再生処理を行う。トランスポート処理器１５では、放送受信再生の場合と同様、ＴＳ形式の多重信号の中から、リモコンなどの再生番組選択器２６によって指定される所定のサービスを選択してその番組を構成する映像や音声の信号を多重分離し、デパケット処理を行ってそれぞれの圧縮信号に戻してＭＰＥＧ映像復号化器１７やＭＰＥＧ／ＡＣ３音声復号化器１８に出力する。また、映像、音声とともに多重されているＰＳＩやＳＩＴの番組関連情報も分離して番組関連情報再生器１９に出力する。
【００２０】
そして、多重信号中の不連続情報（ＤＩＴ）のパケットを取得すると、不連続情報検出器２７においてこれを検出し、マイクロコントローラ２２に通知する。
【００２１】
そして、マイクロコントローラ２２は再生番組自動選択器２８に対し、新たに選択すべき再生番組を問い合わせる。
【００２２】
これを受けて、再生番組自動選択器２８では、たとえば、図２のフローチャートに示すような手順で不連続検出後に選択すべき再生番組を決定する。
【００２３】
まず、番組関連情報再生器１９で再生されている、不連続発生前のＳＩＴやＰＭＴを参照し（Ｓ１）、不連続発生直前に選択していたサービス（Ａ）もしくは番組に関し、ここから次に選択すべきサービス（Ｂ）もしくは番組が記載されている場合には（Ｓ２）、不連続発生直後の選択サービスをＢに指定する（Ｓ３）。また、ＳＩＴやＰＭＴに記載されていない場合には、不連続発生直後に取得したＰＡＴを参照し（Ｓ４）、不連続発生直前に選択していたサービス（Ａ）と同じサービスが記載されていれば（Ｓ５）、不連続発生直後の選択サービスをＡに指定する（Ｓ６）。さらに、記載が存在しない場合には不連続発生直後に取得したＰＡＴを参照し（Ｓ７）、その中で最初にエントリされているサービスを指定する（Ｓ８）。
【００２４】
上記のようにして決定されたサービス（番組）指定に従って、マイクロコントローラ２２では通常の放送信号入力と同様の処理を行い、映像や音声を再生する。
【００２５】
以上詳細したように、本発明のデコーダ装置によれば、不連続情報検出後に、記録多重信号の中から次に再生する番組を自動的に選択指定することで、ユーザの能動的な指定をすることなしに妥当性の高い連続視聴を実現できる。
【００２６】
（第２実施形態）
次に本発明の第２実施形態について、図面を用いて以下に詳細に説明する。
【００２７】
この第２実施形態では再生を一時停止するか連続自動再生するかの設定モード指定が加えられることで、この指定が可能となり、また、不連続発生後に最新の番組関連情報を表示することが新たに可能となる。更にこの第２実施形態について、このようなデコーダ部分を含んだＩＲＤと記録再生装置を含んだシステムを用いて、以下にその動作を説明する。
【００２８】
図３に本発明の第２実施形態に係るシステムを示す。図３において、このシステムは、アンテナに接続された同調器１０と、復調器１１と、ＦＥＣ復号器１２と、デスクランブラ１３と、これに接続されるセレクタ１４と、このセレクタに連動する第２セレクタ２５と、これに接続される放送番組選択器１６と、再生番組選択器２６とを有する。更にこのシステムはそれぞれのセレクタ２５，１４の端子に接続されるマイクロコントローラ２２と、第２実施形態の特徴的構成である再生モード指定器２９と、トランスポート処理器１５と、不連続情報検出器２７と、再生番組自動選択器２８と、番組関連情報再生器１９と、ＭＰＥＧ映像復号器１７と、ＭＰＥＧ／ＡＣ３音声復号器１８と、加算器２１とを有している。
【００２９】
このようなシステム構成において、ストリーム記録再生装置２３がデジタルインターフェース２４を介して接続しており、記録されたデジタル放送信号の再生処理を行う。このストリーム記録再生装置２３は、例えばＤＶＤＲＡＭ等を用いることが可能であり、又このシステム構成の中に含め、デジタル放送の受信再生部をもつＤＶＤ−ＲＡＭ、或いはＤＶＤ−ＲＡＭ，ＨＤＤを搭載したＩＲＤとして構成することも好適である。
【００３０】
このようなシステムについて、以下に動作説明を行う。
【００３１】
アンテナ端子から入力したＲＦのデジタル放送信号は同調器１０を経て復調器１１に入力する。復調器１１ではＡ／Ｄ変換後、たとえば、ＱＡＭやＱＰＳＫ等の送信側でデジタル変調処理された信号を復調し、ＦＥＣ（誤り訂正）復号化器１２に出力する。ＦＥＣ復号化器１２では、送信側でビタビ信号等の畳み込み符号化やＲＳ（リードソロモン）符号化された信号を復号化してデスクランブラ１３に出力する。デスクランブラ１３では指定された番組のスクランブルされた映像や音声の信号をスクランブル鍵を基にデスクランブルし、セレクタ１４を経由してトランスポート処理器１５に出力する。
【００３２】
トランスポート処理器１５ではＴＳの形式で多重されてきた、一般には複数のサービス（放送番組）の中から、リモコンなどの放送番組選択器１６によって指定される所定のサービスを選択してその番組を構成する映像や音声の信号を多重分離し、デパケット処理を行ってそれぞれの圧縮信号に戻してＭＰＥＧ映像復号化器１７やＭＰＥＧ／ＡＣ３音声復号化器１８に出力する。また、映像、音声とともに多重されているＰＳＩやＳＩなどの番組関連情報も分離して番組関連情報再生器１９に出力する。
【００３３】
そして、ＭＰＥＧ映像復号化器１７ではＤＲＡＭ（図には記載せず）に復号化された映像フレームを蓄えながらＭＰＥＧ２の映像高能率符号化方式で符号化された信号を復号化して、Ｙ、Ｃｂ、Ｃｒのデジタルのコンポーネント信号として出力し、必要に応じＯＳＤ処理器２０のグラフィック出力と加算器２１で重畳処理して出力する。音声についても同様にＭＰＥＧ／ＡＣ３音声復号化器１８で圧縮復号して出力する。
【００３４】
なお、ＩＲＤがアナログ出力する場合には、加算器２１の映像出力は、たとえば、ＮＴＳＣデコーダを経てＮＴＳＣアナログのコンポジット信号に変換して出力する。また、ＭＰＥＧ／ＡＣ３音声復号化器１８の出力は、音声Ｄ／Ａ器に出力してアナログの音声信号に変換して出力する。
【００３５】
そして、これらの信号処理を適切に行うため、マクロコントローラ２２が用意され、周辺機器の支援を行っている。たとえば、マイクロコントローラ２２では、放送番組選択器１６などからのサービス指定入力に従い、番組関連情報再生器１９で再生されるＰＳＩデータを解析し、指定されたサービス（番組）を構成する映像、音声などの各伝送識別子をトランスポート処理器１５にセットする。また、デスクランブル処理に必要な関連情報を解析し、この伝送識別子をデスクランブラ１３にセットする。さらに、ＭＰＥＧ映像復号化器１７、ＭＰＥＧ／ＡＣ３音声復号化器１８、番組関連情報再生器１９、ＯＳＤ処理器２０などの周辺回路の再生動作を制御する。特にＯＳＤ処理器２０には、必要に応じ、番組関連情報再生器１９で保持管理されるデータを加工編集し、ＥＰＧ（電子番組ガイド）表示を実行するよう指示する。
【００３６】
又更に第２実施形態においては、再生モード指定器２９が設けられており、ユーザが予め、不連続発生後のＩＲＤの再生動作について決定することができる。再生モード指定器２９は、連続自動再生か再生一時停止かを選択するようになっている。連続自動再生設定の場合には（第１実施形態）と同様の処理を実行する。再生一時停止設定の場合には、不連続情報検出器２７で記録再生多重信号入力からＤＩＴを検知すると、その通知を受けたマイクロコントローラ２２は、図４のフローチャートに示すような手順で制御を行う。
【００３７】
まず、黒画面など再生画面を表示しないようにする（Ｓ２１）。そして、番組関連情報再生器２９での番組関連情報を参照し（Ｓ２２）、不連続発生後の新しいＰＡＴおよびＳＩＴが取得されれば（Ｓ２３，Ｓ２４）、再生を一時停止する設定にする（Ｓ２５）。再生一時停止に関してはたとえば、デジタルインターフェース２４経由で記録再生装置に対し出力を一時停止するコマンドを発行する。
【００３８】
次にたとえば、図５に示すような選択画面を作成し、ＯＳＤ処理２０を通じて表示する（Ｓ２６）。ユーザからの再生中止を受け付ければ（Ｓ２７）、再生停止する設定とし（Ｓ３１）、デジタルインターフェース２４経由で記録再生装置に対し出力を停止するコマンドを発行する。ユーザからの再生停止を受け付けず、再生番組の選択入力を受け付ければ（Ｓ２８）、選択されたサービス指定を行い（Ｓ２９）、ＰＭＴの取得を経て、対応する映像、音声などのＰＩＤを設定する。そして、デジタルインターフェース２４経由で記録再生装置に対し出力を開始するコマンドを発行する。その結果、映像や音声が再生を再開する（Ｓ３０）。
【００３９】
以上のように第２実施形態のデコーダ及び録画再生システムにおいては、不連続検出後に、選択された番組の再生を直ちに行うかあるいは再生を一時停止しておくのかをユーザの好みで設定することができる。又、どのように番組が選択されるべきかを細かく設定することが可能である。また、再生一時停止動作にした場合、最新の番組関連情報を表示することでユーザは必要とする番組情報を迅速かつ手間なく得ることができる。
【００４０】
以上により、本発明の好ましい実施形態が示されたが、発明の意図する範囲で、多くのあり方で変形していくことは、当業者にとって容易であることは言うまでもない。従って、これらの様々な変形例は全て本発明の範囲であるべきである。例えば、本発明のデコーダ装置のみならずこの機能を含むＩＲＤやＤＶＤ−ＲＡＭ等の記録再生装置、更にここから派生するシステムは、全て本発明の範囲と考えるべきである。
【００４１】
【発明の効果】
以上のように、本発明は、デジタルデコーダ装置及びこれを含むＩＲＤとＤＶＤ−ＲＡＭ，ＨＤＤ等の記録再生媒体において、番組を選択記録した放送信号を再生する場合、不連続情報を検知すると妥当性の高い所定の番組を自動選択することにより、不連続発生前後のユーザの能動的な選択入力を必要としない連続視聴を可能とすることができる。
【図面の簡単な説明】
【図１】本発明の第１実施形態であるデコーダ装置のブロックダイアグラム。
【図２】第１実施形態に係る再生番組自動選択の処理を示すフローチャート。
【図３】本発明の第２実施形態であるデコーダ装置のブロックダイアグラム。
【図４】第２実施形態に係る再生番組自動選択の処理を示すフローチャート。
【図５】第２実施形態に係る対象ファイルの表示例を示す図。
【図６】デジタルデコーダ装置が扱う記録ストリームの説明図。
【符号の説明】
１０  …  同調器
１１  …  復調器
１２  …  ＦＥＣ復号化器
１３  …  デスクランブラ
１４  …  セレクタ
１５  …  トランスポート処理器
１６  …  放送番組選択器
１７  …  ＭＰＥＧ映像デコーダ
１８  …  ＭＰＥＧ音声デコーダ
１９  …  番組関連情報再生器
２０  …  ＯＳＤ処理器
２１  …  加算器
２２  …  マイクロコントローラ
２３  …  ストリーム記録再生装置
２４  …  デジタルインターフェース
２５  …  セレクタ
２６  …  再生番組選択器
２７  …  不連続情報検出器
２８  …  再生番組自動選択器
【図１】
0003872915.tif 000002
【図２】
0003872915.tif 000003
【図３】
0003872915.tif 000004
【図４】
0003872915.tif 000005
【図５】
0003872915.tif 000006
【図６】
0003872915.tif 000007